(57)【要約】      （修正有）【課題】フィルム片に無粘着剤区域を設け、離型紙の長さをフィルム片の長さより大きくし、離型紙を容易に剥がすことができ、且つ、分断線を設け、使用者がはさみを使用する必要なく簡単に必要な分を切り離すことができる、両面テープの提供。【解決手段】両面テープ４は、断続した設計で一定の適切な長さごとに間隔４１１を設けたフィルム片４１と、前記フィルム片の上下表面にそれぞれ設けた粘着剤層４２と、前記フィルム片上表面の前記粘着剤層に貼り合わせられ、前記フィルム片上方に位置する離型紙４３を含み、前記離型紙は連続した設計でその長さが前記フィルム片の長さより大きく、前記離型紙の前記フィルム片の間隔に対応する位置に分断線４３１を設け、前記フィルム片の間隔に形成された無粘着剤区域を利用して容易に離型紙をフィルム片上から剥がすことができ、前記離型紙の分断線により、両面テープを簡単に切断できる。【選択図】図４
0003124839.tif 000002
【実用新案登録請求の範囲】
【請求項１】
フィルム片と、２つの粘着剤層と、離型紙を含み、そのうち、前記フィルム片が断続した設計であり、一定の適切な長さごとに間隔が設けられ、前記２つの粘着剤層は前記フィルム片の上下表面にそれぞれ設けられ、前記離型紙は前記フィルム片の上表面の前記粘着剤層に貼り合わせられ、フィルム片上方に位置し、前記離型紙は連続した設計であり、その長さが前記フィルム片の長さより大きくなるものとし、さらに、前記離型紙の前記フィルム片の前記間隔に対応する箇所に分断線を設けた、両面テープ。
【請求項２】
前記離型紙とフィルム片を貼り合わせた後、ロール状に巻き取ることができる、請求項１に記載の両面テープ。
【請求項３】
前記離型紙の前記フィルム片の前記間隔に対応する箇所に設けた前記分断線が前記間隔に対応する内側端に設けることができる、請求項１に記載の両面テープ。
【請求項４】
前記離型紙の前記フィルム片の前記間隔に対応する箇所に設けた前記分断線が前記間隔に対応する外側端に設けることができる、請求項１に記載の両面テープ。
【考案の詳細な説明】
【技術分野】
【０００１】
本考案はテープに関し、詳細には、離型紙を簡単にフィルム片上から剥がすことができ、且つ、必要な長さを迅速に切断することができる、両面テープに関する。
【背景技術】
【０００２】
従来の両面テープは主にフィルム片、２つの粘着剤層及び離型紙から構成される。そのうち、前記２つの粘着剤層は前記フィルム片の上下表面にそれぞれ塗布され、前記フィルム片の両面に粘着性を持たせている。この粘着剤層を塗布したフィルム片の両面に離型紙を貼り合わせ、巻き取って１つの巻きテープを形成している。
【０００３】
図１及び図２に従来の両面テープの切断時の状態を示す立体図及び離型紙を剥がすときの状態を示す立体図をそれぞれ示す。従来の両面テープ１は連続した長細い形状であるため、使用時には使用者がはさみやナイフでテープを適切な長さに切る必要があるため、その利便性に限りがある。このほか、前記フィルム片１１と離型紙１２の両者は全体がぴったりと貼り合わされているため、使用者が剥がすときにフィルム片１１及び離型紙１２の境目が分別しにくく、分離に時間がかかり、目が疲れる。
【０００４】
図３に従来のシート型の両面テープを示す。このような両面テープ２の離型紙２２及びフィルム片２１はシート状であり、離型紙２２が粘着剤層を塗布したフィルム片２１に貼り合わせられた後、さらにその上に複数本の分断線２３が設けられている。このような両面テープ２は、長さが大体において使用者の必要な規格であるため、分断線２３に沿って必要な本数のテープをシートから分離するだけでよい。これにより、上述の従来の両面テープ１のようにはさみを利用して切断しなければならないという不便さを回避することができる。しかしながら、両面テープ２の形態がシート状を呈するため、空間を占用しやすい。且つ、このような両面テープ２のフィルム片２１と離型紙２２の両者はやはり全体がぴったりと貼り合わされており、剥がすときにやはり時間がかかり、目が疲れるという問題がある。
【０００５】
このため、本考案は従来の技術的な不便さを解決できる両面テープをいかに提供するかを積極的に探るものである。
【考案の開示】
【考案が解決しようとする課題】
【０００６】
上述の従来方式の各欠点に鑑みて、本考案の考案者はその不完全さに感じ入り、その関連産業における長年の経験に基づき研究を重ね、簡単に剥がすことができ、便利に切断できるという特性を備えた両面テープの開発に至ったものである。
【０００７】
本考案の主な目的は、フィルム片に無粘着剤区域を設け、離型紙の長さをフィルム片の長さより大きくし、離型紙をフィルム片上から容易に剥がすことができる両面テープを提供することにある。
【０００８】
本考案の別の目的は、分断線を設け、使用者がはさみを使用する必要なく簡単に必要な分を切り離すことができる、両面テープを提供することにある。
【課題を解決するための手段】
【０００９】
上述の目的を達するため、本考案の両面テープは、断続した設計で一定の適切な長さごとに間隔を設けたフィルム片と、前記フィルム片の上下表面にそれぞれ設けた２つの粘着剤層と、前記フィルム片上表面の前記粘着剤層に貼り合わせられた離型紙を含み、そのうち、前記離型紙は前記フィルム片上方に位置し、連続した設計を採用することにより、前記離型紙の長さが前記フィルム片の長さより大きくすることができ、前記離型紙のフィルム片の間隔に対応する位置に分断線を設け、これにより、前記フィルム片の間隔に形成される無粘着剤区域を利用して容易に離型紙をフィルム片上から剥がすことができ、且つ、前記離型紙とフィルム片上の分断線により、両面テープを簡単に切断することができる。
【考案を実施するための最良の形態】
【００１０】
以下、本考案の目的、特徴及び効果についてより理解を促すため、具体的な実施例と図面に基づき、本考案をより詳細に説明する。
【実施例１】
【００１１】
図４に本考案の両面テープの構造を示す側面図を示す。両面テープ４はフィルム片４１と、２つの粘着剤層４２と、離型紙４３を含み、前記フィルム片４１は断続した設計で、一定の適切な長さごとに間隔４１１を備え、前記粘着剤層４２は前記フィルム片４１の上下表面にそれぞれ設けられ、塗布または粘着方式で前記フィルム片４１の表面に固定され、２つの表面共に粘着性を形成し、前記離型紙４３は連続した設計を採用し、その長さが前記フィルム片４１の長さより大きくなるものとし、前記離型紙４３はフィルム片４１上表面の粘着剤層４２に貼り合わせられ、前記離型紙４３が前記フィルム片４１の上方に位置し、前記離型紙４３とフィルム片４１を貼り合わせた後、ロール状に巻き取ることができ、巻き取ったとき前記フィルム片４１が前記離型紙４３の内側に位置する。そのうち、前記離型紙４３のフィルム片４１の間隔４１１に対応する箇所に分断線４３１を設け、前記分断線４３１により両面テープ４を簡単に切断することができる。この分断線４３１は前記間隔４１１に対応する内側端４３１１に位置し、前記間隔４１１の無粘着剤区域により使用者は簡単に離型紙４３を引き剥がし、フィルム片４１から分離させることができる。
【００１２】
図５に本考案の両面テープの実施例の立体斜視図を示す。上述のように、本考案の両面テープ４は巻き取ることができるため、従来のシート状の両面テープにおける空間を占用してしまうという問題を解決することができる。また、本考案は離型紙４３のフィルム片４１の間隔４１１に対応する箇所に分断線４３１を設けているため、使用者は従来のようにはさみを利用して両面テープ４を切断する必要がなく、前記分断線４３１で軽く折り、引き出した部分に軽く施力するだけで必要分を両面テープ４全体から分離することができるため、非常に便利である。
【００１３】
特に、本考案の両面テープ４のフィルム片４１は間隔４１１を備えており、分断線４３１が前記間隔４１１に対応する内側端４３１１に位置するため、引き出した部分の両面テープ４を切り離すと、離型紙４３の長さがフィルム片４１の長さより大きくなるため、離型紙４３を簡単に引き剥がしフィルム片４１から分離させることができる。このような設計で従来の両面テープの離型紙を剥がしにくいという問題を解決する。
【００１４】
図６に本考案の両面テープを固定物上に貼り付けた状態の立体図を示す。本考案の両面テープ４は物体と物体の間を貼り合わせるためのインターフェースとすることができ、バックライトモジュールやノートブックコンピュータ及びその他あらゆる貼り合わせが必要な領域に適用することができる。分断線４３１が設けられているため、使用時には必要分を固定物上に貼り付け、両面テープ４に対し若干施力するだけで、必要分を両面テープ４全体から分離することができる。
【００１５】
図７及び図８に本考案の両面テープの切断後の立体図及び両面テープの離型紙を剥がすときの立体図をそれぞれ示す。フィルム片４１を固定物に貼り付けた後、本考案の両面テープ４には無粘着剤区域、即ち間隔４１１の部分が設けられているため、離型紙４３の長さがフィルム片４１より長くなっており、その長くなった部分が固定物の外側に突出するため、使用者は容易に剥がすことができる。
【実施例２】
【００１６】
図９に本考案の両面テープの別の実施例の構造を示す側面図を示す。図１０には立体斜視図、図１１には本考案の両面テープを固定物上に貼り付けた状態の立体図、図１２には本考案の両面テープ切断後の状態を示す立体図をそれぞれ示す。これらの図からはっきりと分かるように、本考案のこの別の実施例は、前述の実施例の構造を基礎として、分断線４３１の位置だけが異なるものである。
【００１７】
この実施例の離型紙４３はフィルム片４１の間隔４１１に対応する箇所に分断線４３１が設けられており、この分断線４３１により両面テープ４を簡単に切断することができる。この分断線４３１は前記間隔４１１に対応する外側端４３１２（図９、図１０参照）に設けられており、前記間隔４１１の無粘着剤区域を利用して使用者は離型紙４３を容易に引き剥がし、フィルム片４１と分離することができる（図１１参照）。
【００１８】
前記分断線４３１が前記間隔４１１に対応する外側端４３１２に設けられているため、使用者は両面テープ４を使用するたび迅速に始めの部分を見つけることができ、且つ、離型紙４３の長さがフィルム片４１の長さより大きいため、離型紙４３とフィルム片４１を簡単に分離でき、非常に便利である（図１２参照）。
【図面の簡単な説明】
【００１９】
【図１】従来の両面テープ切断時の状態を示す立体図である。
【図２】従来の両面テープの離型紙を剥がすときの状態を示す立体図である。
【図３】従来のシート状両面テープの立体図である。
【図４】本考案の両面テープの側面図である。
【図５】本考案の両面テープの立体斜視図である。
【図６】本考案の両面テープを固定物上に貼り付けた状態を示す立体図である。
【図７】本考案の両面テープを切断した後の状態を示す立体図である。
【図８】本考案の両面テープの離型紙を剥がすときの状態を示す立体図である。
【図９】本考案の両面テープの別の実施例の側面図である。
【図１０】図９の実施例の立体図である。
【図１１】図９の両面テープを固定物上に貼り付けた状態を示す立体図である。
【図１２】図９の両面テープを切断した後の状態を示す立体図である。
【符号の説明】
【００２０】
１…両面テープ、１１…フィルム片、１２…離型紙、２…両面テープ、２１…フィルム片、２２…離型紙、２３…分断線、４…両面テープ、４１…フィルム片、４１１…間隔、４２…粘着剤層、４３…離型紙、４３１…分断線、４３１１…内側端、４３１２…外側端。
【図１】
0003124839.tif 000003
【図２】
0003124839.tif 000004
【図３】
0003124839.tif 000005
【図４】
0003124839.tif 000006
【図５】
0003124839.tif 000007
【図６】
0003124839.tif 000008
【図７】
0003124839.tif 000009
【図８】
0003124839.tif 000010
【図９】
0003124839.tif 000011
【図１０】
0003124839.tif 000012
【図１１】
0003124839.tif 000013
【図１２】
0003124839.tif 000014